(57)【要約】【課題】  本発明は、照明装置の発光面形状を変形可能であり、かつ発光面形状を変形させても、輝度ムラの発生を抑制した照明装置を提供するものである。【解決手段】  本発明に係る照明装置は、光源(1)と、弾性を有し、かつ前記光源からの光に対して透過性及び反射性を有する半透過部材(2)と、弾性を有し、かつ該半透過部材に対向して設けられ、前記光源からの光を反射して前記半透過部材へ導くための反射部材(3)と、前記半透過部材と反射部材の端部であって、前記半透過部材と反射部材との間に挟まれるように設けられた弾性を有する支持部材(4)とを有している。そして、半透過部材、反射部材及び支持部材が外部からの力に応じて一体的に変形可能なように構成されている。【選択図】図１
2012221553.tif 000002
【特許請求の範囲】
【請求項１】
照明装置において、
光源と、
弾性を有し、かつ前記光源からの光に対して透過性及び反射性を有する複合光学特性部材と、
弾性を有し、かつ該複合光学特性部材に対向して設けられ、前記光源からの光を反射して前記複合光学特性部材へ導くための反射部材と、
前記複合光学特性部材と前記反射部材の端部であって、前記複合光学特性部材と前記反射部材との間に挟まれるように設けられた弾性を有する支持部材と、を有し、
前記複合光学特性部材、前記反射部材及び支持部材が外部からの力に応じて一体的に変形可能なように構成されていることを特徴とする照明装置。
【請求項２】
請求項１に記載の照明装置において、前記複合光学特性部材、前記反射部材及び支持部材によって空洞の箱形の導光体を構成することを特徴とする照明装置。
【請求項３】
請求項１に記載の照明装置において、前記複合光学特性部材、前記反射部材及び支持部材によって形成される空間に屈折率１以上の物質が注入される空洞の箱形の導光体を構成することを特徴とする照明装置。
【請求項４】
請求項１に記載の照明装置において、前記反射部材の前記光源近傍の部分に凹部を設けたことを特徴とする照明装置。
【請求項５】
請求項１に記載の照明装置において、前記反射部材が複数に分割されていることを特徴とする照明装置。
【請求項６】
請求項１に記載の照明装置において、前記複合光学特性部材の光出射面側に拡散部材を配置したことを特徴とする照明装置。
【請求項７】
請求項１に記載の照明装置において、前記複合光学特性部材の光出射面側に配光分布調整部材を配置したことを特徴とする照明装置。
【請求項８】
請求項１〜７に記載の照明装置を複数配列して１つの照明装置を構成したことを特徴とする照明装置。
【請求項９】
請求項１〜８のいずれかに記載の照明装置をバックライトとして用いたことを特徴とする映像表示装置。
【発明の詳細な説明】
【技術分野】
【０００１】
本発明は、照明装置に関し、特に発光面形状の変形が可能な照明装置、およびそれを用いた映像表示装置に関するものである。
【背景技術】
【０００２】
従来、例えば室内照明や液晶表示装置のバックライトなどに用いられている、例えば透明樹脂により構成された導光板を用いた照明装置は、その形状が例えば平面状に固定されているものであり、発光面を曲面にすることは困難であった。一方、例えば有機ＥＬの薄型自発光素子を用いることにより薄型で曲面に変形可能な照明装置や映像表示装置等を実現することができる。しかしながら、有機ＥＬ等の薄型自発光素子は高コストであり、また面発光の均一性、寿命などの点で課題があった。
【０００３】
透明樹脂により構成された透明板を用いて発光面形状を湾曲させた面光源が例えば特許文献１に記載されている。特許文献１には、輝度ムラを低減するために透明板に溝を刻み、光源からの出射光を曲面形状の発光面に対して均一に照射させる構成を開示している。
【先行技術文献】
【特許文献】
【０００４】
【特許文献１】特開２００３−１４１９２２
【発明の概要】
【発明が解決しようとする課題】
【０００５】
上記特許文献１に記載のものは、発光面の形状が予め曲面の形状に固定されており、外力により例えば平板状やさらに局率の大きい湾曲形状とすることはできない。また湾曲面の曲率を変える場合には溝等の含む透明板を再設計する必要がある。
【０００６】
本発明は、かかる課題に鑑みて為されたものであり、光源装置において照射面の形状を変形可能にするための技術を提供するものである。
【課題を解決するための手段】
【０００７】
本発明は特許請求の範囲に記載された構成を特徴とするものである。より具体的には、本発明は、光源と、弾性を有し、かつ前記光源からの光に対して透過性及び反射性を有する複合光学特性部材と、弾性を有し、かつ該複合光学特性部材に対向して設けられ、前記光源からの光を反射して前記複合光学特性部材へ導くための反射部材と、前記複合光学特性部材と前記反射部材の端部であって、前記複合光学特性部材と前記反射部材との間に挟まれるように設けられた弾性を有する支持部材とを有し、前記複合光学特性部材、前記反射部材及び支持部材が外部からの力に応じて一体的に変形可能なように構成されていることを特徴とするものである。
【発明の効果】
【０００８】
本発明は、以上のように構成されているため、照射面形状（半透過部材）を変形させた際、前記支持部材によって半透過手段に対向する反射面形状を同時に変形させる事ができ、照射面形状を変形した際に生じる空間的な輝度ムラの発生を抑制することができる。
【図面の簡単な説明】
【０００９】
【図１】本発明に係る照明装置の第１の実施例を示す図。
【図２】本発明に係る照明装置の第２の実施例を示す図。
【図３】本発明に係る照明装置の第３の実施例を示す図。
【図４】本発明に係る照明装置の第４の実施例を示す図。
【図５】第４の実施例に用いられる配光調整部材の一構成例を示す図
【図６】本発明に係る照明装置の第５の実施例を示す図。
【図７】本発明に係る照明装置の第６の実施例を示す図。
【発明を実施するための形態】
【００１０】
以下、本発明の実施形態について、添付の図面を参照して説明する。尚、各図または各実施例において、同一の構成、機能または作用を有する要素には同じ番号を付し、重複した説明を省略するものとする。
【実施例１】
【００１１】
まず図１を用いて本発明に係る照明装置の第１の実施例を説明する。
【００１２】
この第１実施例の照明装置は、図示されるように、少なくとも一つ以上の光源１と、光弾性を有し、かつ光源１からの光に対して透過性及び反射性を有する複合光学特性部材２（以下、この複合光学特性部材を「半透過部材」と呼ぶ）と、弾性を有し、かつ該半透過部材に対向して設けられ、光源１からの光を反射して半透過部材２へ導くための反射部材３と、半透過部材２と前記反射部材３の端部であって、半透過部材２と反射部材３との間に挟持されるように設けられた弾性を有する支持部材４とを有し、半透過部材２、反射部材３及び支持部材４が外部からの力に応じて一体的に変形可能なように構成されていることを特徴としている。
【００１３】
上記半透過部材２、反射部材３及び支持部材４により内部に空間を有する箱型の導光体１０を構成している。光源１は例えばＬＥＤ等の点光源であり、これが複数個、一列に光源基板１２状に配列されている。光源１が実装された光源基板１２は、上記空洞箱型の導光体１０の第１端面側に取り付けられ、光源基板１２上の光源１から放出された光は導光体１０の内部を進行する。
【００１４】
反射部材３は図１（ａ）に示されるように、光源基板１２が設けられる第１端面とは反対側の第２端面近傍において導光体１０内側に湾曲するような曲面を有しており、更に、第１端面から第２端面にかけて導光体１０の厚さが減少するように、半透過部材２に対して傾斜して設けられている。
【００１５】
上記光源１から放出されて導光体１０内部に進行する光は、反射部材３の内面に形成された反射面（半透過部材２と対向する面）で反射されて半透過部材２に向かう。また、導光体１０の両側面に設けられた支持部材４の内面にも反射面が形成されており、反射部材３の反射面で反射された光、及び光源１から放出された光が支持部材４の反射面で反射されたて半透過部材２に向かう。尚、図示はしていないが、図１において反射部材３の背面側に反射シートを設け、反射部材３を透過する一部の光を反射シートで反射して導光体１０内部に戻すようにしてもよい。
【００１６】
半透過部材２に向かう光（光源１から直接的に向かう光、及び反射部材３及び支持部材４で反射された光）の一部は当該半透過部材２の透過作用により半透過部材２を透過し、光は紙面上方に向けて、照明装置の光として出射される。つまり、本実施例の構成では、半透過部材２の表面側が照明装置の発光面となる。また半透過部材２に向かう光の一部は当該半透過部材２の反射作用により導光体１０内部に向けて反射され、反射部材３及び支持部材４（更に反射シート）で反射されて半透過部材２に到達し、その一部が半透過部材２を透過して外部に出射される。この動作を複数回繰り返すことによって、光源１近傍の発光面の出射光と、光源１から離れた出射光の発光量の差を小さくすることができる。すなわち、本実施例により発光面の照度の均一性を高めた照明装置を提供できる。
【００１７】
上記半透過部材２からの出射光は、例えば図示しない液晶パネルなどに照明される。このように用いれば本実施例の照明装置を液晶表示装置のバックライトとして使用できる。当然ながら、半透過部材２を透過した光を室内照明用（直接照明あるいは間接照明）の光として用いることもできる。
【００１８】
上記光源１は、上述した例ではＬＥＤとしたが、これ以外の点光源として半導体レーザ光源を用いてもよいし、点光源ではなく線光源、例えばＣＣＦＬやＥＥＦＬなどの蛍光管でもよい。また、点光源を光源基板１２上に複数配列し、線光源状にした光源ユニットを用いてもよ。光源基板１２には、光源１に電力を供給するための配線パターンを有している。光源基板１２の材質は、例えばＡＧＳＰ、リードフレーム、薄型基板などを利用することが可能で、必要に応じて、導光体１０に対向する面（すなわち光源１が実装される面）に入射光を反射するために光学コーティングを施してあってもよい。かかる光学コーティングは、例えば、白色の拡散反射性を持つ塗装や、ミラーコーティングや研磨による鏡面仕上げにより実現することが可能である。
【００１９】
光源１から放出される光の色は、本実施例では白色であるものとする。しかしながら、光源基板１２に実装される複数の光源１の色をそれぞれ異ならせてもよく、例えばＲ，Ｇ，Ｂの光を放出する３つのＬＥＤを組み合わせてもよい。その場合、図示はしないが、色が異なる複数のＬＥＤに対して１つのレンズや導光部材等の光学系を設け、複数のＬＥＤからの光を混色させるようにしてもよい。更にまた、１つの光源を単位または複数の光源を１つの単位として、それぞれの単位の発光を制御するように構成されていても良い。
【００２０】
半透過部材２は、複合的な光学特性を備えるものであって、例えば５０％以上の反射性能を有し、かつ５０％未満の透過率を有するものである。すなわち半透過手段２は、半透過手段２に入射される全入射光の半分以上を反射し、それ以外の光を透過する光学的特性を備えている。半透過部材２が有する反射性と透過性は、偏光依存性を有する材質により構成されていてもよい。例えばＳ波とＰ波のいずれか一方を透過した方を反射するもの、例えば液晶表示装置の光学シートとして用いられる反射型偏光フィルム（輝度向上フィルムとも呼ばれる）等の多層薄膜構造を有する光学フィルムやシートを用いることもできる。その他に、波長依存性を有する光学フィルムやシートを利用することもできる。かかる波長依存性を有する光学フィルムまたはシートは、例えば所定波長以上の光を透過しそれ未満の波長の光を反射するものであり、例えば、屈折率が異なる誘電体で構成される薄膜を複数積層した誘電体多層膜を利用することができる。
【００２１】
また半透過部材２は、適度な弾性を持たせるために、上述した偏光依存性または波長依存性を有する光学フィルム或いはシートと透過性を有する透明基材と組み合わせて使用してもよい。かかる透明基材には、例えばアクリル、ＰＭＭＡ、ゼオノア、ＢＭＣ、ＯＺ、ポリカーボネート、シリコン、ガラスなどの透明な材質を利用できる。透明基材の弾性は、透明基材の厚さによって調節することができる。
【００２２】
また必要に応じて、半透過部材２の述した偏光依存性または波長依存性を有する光学フィルム或いはシートにブラスト処理、ビーズコーティング、微細パターン構造を設ける加工を施し、拡散性など、配光調整をする機能を設けてもよい。または、半透過部材２の透明基材に前記加工を施してもよい。
【００２３】
反射部材３は、例えば正反射性を持つ鏡面ミラーを有する光学部材を用いることができる。かかる光学部材は、例えば、適度な剛性及び弾性を持つ例えばゴム等の弾性基材に鏡面ミラーとしてアルミや銀等の金属を蒸着して構成されたものであってもよい。また反射部材３として、、拡散反射性を持つ拡散反射シートを利用することもできる。かかる拡散反射シートは、例えば、樹脂を延伸して製造された白色の拡散反射性を持ち、かつ弾性を有する光学シートであってもよい。この反射部材３の表面の一部あるいは全面にパターン印刷を施してもよいし、鏡面反射と拡散反射を部分的に組み合わせて利用してもよい。また、反射部材３として拡散反射シートを用いる場合は、それを構成する樹脂の光学特性により光が該拡散反射シートを透過する場合もあるので、その場合は上述のように反射部材３の背面に反射シートを配置すればよい。
【００２４】
支持部材４は、上述した半透過部材２及び反射部材３と同様に弾性を持つ材質、もしくは自由度がある構造で構成される。弾性を持つ材質としては、例えばゴム、スポンジ、多孔質の材料などを利用することができる。また支持部材４は、変形の可動範囲を拡張するために複数に分割されていてもよい。支持部材４を複数に分割して構成する場合、金属やセラミックなど、比較的剛性が高い材質を用いた構造を用いてもよい。支持部材４の他の構成として、リンク機構を利用してもよい。リンク機構を利用する場合、その可動部分（ジョイント部分）に適度な摩擦係数を有する部材を設けるか、もしくはロック機構を設けて可動後の姿勢を固定できるようにしてもよい。当然、弾性体を利用した支持部材とリンク機構などの可動構造を併用してもよい。また、変形後の姿勢の固定ができるように、支持部材４の適切な箇所にロック機構、例えばピン止め、クリップ止めなどができる構造を設けていてもよい。
【００２５】
本実施形態に係る導光体１０において、光源１から遠方の照度を向上させて発光面の照度均一性を高めるため、半透過部材２と反射部材３間の距離（つまり導光体１０の厚さ）を、光源１側（第１端面側）において、光源１から遠い側（第２端面側）よりも大きくすることが望ましい。そのために本実施例に係る支持部材４は、図１に示されるように、導光体１０のの側面から見た形状が第１端面側から第２端面側にかけて徐々に細くなる楔形の形状を有している。
【００２６】
更にまた、支持部材４の内面には、上述のように光源１、反射部材２、半透過部材２から反射された光を反射するための反射面が形成されている。この反射面は、例えば鏡面ミラー、反射コーティング、または白色塗料により構成される。
【００２７】
このような構成を有する半透過部材２、反射部材３及び支持部材４をそれぞれ接着剤により互いに結合する内部に空間を有する箱型の導光体１０を作成する。
【００２８】
上記のように構成された本実施例に係る照明装置は、上述のように半透過部材２、反射部材３及び支持部材４が全て弾性または可動構造を有しているので、外部からの力、例えば人の力により導光体１０を全体的に変形可能にしてその発光面（すなわち半透過部材２の光出射面）の形状が変形可能となっている。
【００２９】
図１（ｂ）及び（ｃ）は、半透過手段２を変形させた場合の、本実施例に係る照明装置の断面図を示している。
【００３０】
例えば人の力等で導光体１０を全体的に変形させると、支持部材４により、半透過部材２の形状変化に応じて反射部材３の形状も変化する。たとえば、略平面である半透過部材２上で均一な照度分布が得られるとき、反射部材３はある形状になっているとする。このとき、反射部材３の形状を固定し、半透過部材２の形状のみを変形させた場合、照明装置の発光面上では照度ムラが発生する。その原因は、半透過部材２が変形することにより半透過部材２に入射される反射光の光路が、変形前と異なることが原因である。
【００３１】
これに対し本実施例の構成であれば、半透過部材２の変形を、支持部材４を介して反射部材３に伝達してその形状変化に影響させることができるので、照射面を変形させた場合に生じる半透過部材２への入射される反射光の光路の変化を抑制することができ、照射面変形時の照度ムラの発生を抑制することが可能である。例えば、図１（ｂ）のように半透過部材２が光の出射方向（紙面上方向）に向かって凸に変形されたとき、反射部材３もその変形に応じて略凸方向に変形することができる。逆に、図１（ｃ）のように反射部材２が光の出射方向に向かって凹に変形されたとき、反射部材３もその変形に応じて略凹方向に変形する。
【００３２】
このように本実施例によれば、導光体１０を全体的に変形可能としているため、照明装置の照射面の形状を任意に変形させることができるとともに、発光面の変形による照度分布の変化を抑制することが可能となる。よって、本実施例によれば、照度分布を均一化しつつ発光面を変形することが可能な照明装置を提供することができるという効果を生じるものである。
【実施例２】
【００３３】
次に図２を用いて、本発明の第２の実施例を説明する。この第２実施例が第１実施例と異なる点は、図２に示されるように、光源１の近傍の反射部材３に凹部２０を設けたことにある。
【００３４】
反射部材３を半透過部材２の面に対して略平行に配置した場合、発光面の照度分布は光源１近傍が高くなり、光源１から遠ざかるにつれて照度が低下する傾向にある。かかる発光面の照度ムラを低減するために、光源１から遠方の照度を高める必要がある。そのためには、半透過部材２と反射部材３間の距離を、光源１側（第１端面側）近傍において光源１から遠い側（第２端面側）よりも大きくすることで効果的であるが、光源１近傍の照度も向上してしまう。
【００３５】
そこで、本実施例では、反射部材３が光源１近傍に凹部２０を設けることにより、光源１からの光線を遠方に伝播するように構成している。すなわち光源１からの光は反射部材３に設けられた凹部２０によって、導光体１０の第２面側（紙面右側端部）に向けて反射される。このため、導光体１０の（第１端面部分に十分に光を供給でき、また光源１近傍の部分に過度に光が供給されることが抑制される。従って本実施例の構成によれば、光源１近傍の照度を抑制し、光源１から遠方の発光面上の照度を高め、より照度均一性を高めた照明装置を提供できる。
【実施例３】
【００３６】
次に図３（ａ）〜（ｃ）を用いて本発明の第３の実施例を説明する。この第３実施例が第１及び第２実施例と異なる点は、図３に示されるように、反射部材３が複数に分割されている点である。
【００３７】
例えば図３（ｂ）のように反射部材３が光の出射方向（紙面上方向）に向かって凸変形するとき、図中の矢印のように、反射部材３には圧縮される方向に応力が発生する。もし、支持部材４と反射部材３とを面全体で固定していると、支持部材４と反射部材３との接着部分（境界）で応力が発生し、支持部材４と反射部材３とが剥離する原因となりうる。
【００３８】
そこで本実施例では、図３（ｃ）のように反射部材３を複数に分割し、その境界部分を基準に分割反射部材を可動できるように構成することにより、反射部材３への応力の蓄積を防ぎ、支持部材４と反射部材３との剥離、位置ずれを防ぎ、信頼性が高い照明手段を提供できる。当然、各分割反射部材は弾性を有するものとする。また、図３（ｃ）に示されるように、ある分割反射部材の端部とそれに隣接する分割反射部材の端部とを互いに重ね合わせ、いずれか下方に位置する分割反射部材の端部を上方に位置する分割反射部材の背面に結合することで、反射部材４から背面側への光の漏れを防止しつつ、応力の蓄積を抑制しながら分割反射部材を変形可能にすることができる。
【００３９】
また本実施例では、図３（ｃ）とは逆に光の出射方向に向かって凹に変形するときでも同様に反射部材３の変形による応力の蓄積を防ぐことができるため、同様の効果を得ることが可能である。反射部材３の変形時に、分割反射部材の相互間隙間ができないように、分割反射部材は十分な幅（光源１の光放出方向の寸法）を持たせることが好ましい。尚、本実施例においても、分割反射部材に第２実施例と同様に凹部２０を設け、第２実施例と同様な効果を得ることができることは言うまでも無い。
【実施例４】
【００４０】
次に図４及び図５を用いて、本発明の第４の実施例を説明する。この第４実施例が第１乃至第３実施例と異なる点は、図４に示されるように、光導体１０の照射面表面側、すなわち半透過部材２の光出射側に拡散部材５を設けた点である。
【００４１】
拡散部材５によって、半透過部材２から出射される光線は拡散され、照明は広い範囲を照射することができる。また、使用者の見る角度によらず輝度ムラが発生しにくいという利点を有する照明を提供できる。この拡散部材５も導光体１０の変形とともに変形できるように弾性を有するものとする。
【００４２】
上記拡散部材５に代えて、例えば図５に示されるような微細なプリズム形状を有する光学フィルムにより構成された配光分布調整部材５１を設けてもよい。この配光分布調整部材５１も導光体１０の変形とともに変形できるように弾性を有するものとする。
【００４３】
かかる配光分布調整部材５１によって使用者が望む配光を実現することが出来る。例えば図５に示されるような構成の配光分布調整部材５１を用いた場合、照射面に対して垂直に出射する光線が増加する。したがって、スポットライトのような広がりが少ない照明光を実現することができる。さらに、照射面を変形させることにより配光分布を調整することが可能になる。例えば照射面を平面にしておけば、正面にピークを持つ配光分布となり、照射面を凸に曲げると広範囲を照射できる照明を実現できる。
【００４４】
勿論、拡散部材５と配光分布調整部材５１の両方を併用することも可能である。すなわち拡散部材５で照度分布の均一性を高めた上で、配光分布調整部材５１により所望の配光分布を得るようにしてもよい。この場合は、半透過部材２の光出射側に拡散部材５を配置し、その上に配光分布調整部材５１を配置することとなる。また配光分布調整部材５１は一つのみではなく２つ用いることもできる。例えば、プリズムの長手方向が第１方向に形成された第１配光分布調整部材と、プリズムの長手方向が第１方向と直交する第２方向に形成された第２配光分布調整部材とを組み合わせて使用してもよい。
【実施例５】
【００４５】
次に図６を用いて、本発明の第５の実施例を説明する。この第５実施例は、第１実施例〜第４実施例において説明した照明装置（以下、これを「単位照明装置」と呼ぶ）を複数個配列して１つの照明装置（以下、これを「組合せ型照明装置」と呼ぶ）を構成したものである。
【００４６】
図６に示されるように、単位照明装置を複数個配列して１つの組合せ型照明装置を構成することにより、単位照明装置単独では表現が難しい曲面形状でも、複数の単位照明装置を利用する事により、より複雑な曲面形状を表現し、かつ輝度ムラを抑制することを可能とする照明装置を提供できる。また単位照明装置では広範囲を照明することは困難であるが、本実施例に係る組合せ型照明装置では広範囲を照明することが可能となる。また、単位照明装置毎に光の強度及び／または色を制御可能とすることにより、組合せ型照明装置において局部的に光の強度及び／または色を制御することが可能となる。これにより、例えば組合せ型照明装置を室内照明にとして用いる場合、室内に入射される外光（日光）の強度に応じて点灯する単位照明装置の数を制御したり、また使用者の任意で（例えば夜間において）部分的に暖色系の光を出射させたりすることができ、使用環境に応じた適切な照明を得ることができる。
【００４７】
尚、図６では、光源１からの光の出射方向に沿って単位照明装置を配列しているが、配列方向はこれに限られるものではない。例えば、光源１からの光の出射方向と直交する方向に複数個単位照明装置を配列してもよく、また光の出射方向及び出射方向と直交する方向の両方に、二次元的に複数個単位照明装置を配列してもよい。
【実施例６】
【００４８】
続いて図７を用いて、本発明の第６の実施例を説明する。この第６実施例は、第１実施例〜第５実施例において説明した照明装置を液晶表示装置のバックライトとして利用した例であるが、図７は図４に示された第４実施例に係る照明装置を用いた例を示している。当然ながら、図１〜図３、図５等に示された第１実施例〜第３実施例、第５実施例に係る照明装置を用いてもよい。
【００４９】
本実施例は、図７に示されるように、第１実施例〜第５実施例において説明した照明装置の発光面側に映像表示デバイス６を配置し、図示しない電源回路、映像信号処理部を有している。映像表示デバイス６には、液晶パネルなどの入力される映像信号に応じて光学的に光を透過させる量を制御できるデバイスを利用することができる。さらには、折り曲げ可能な受動型の映像表示デバイスを利用しても良い。
【００５０】
折り曲げ可能な表示デバイスを用いることで、照明装置及び表示デバイスの両方を変形でき、以って、表示面が例えば曲面に変形可能な映像表示装置を提供できる。
【００５１】
本発明は上述の第１実施例〜第６実施例に限られるものではない。例えば、導光体１０を空洞の箱型ではなく、、半透過部材２と反射部材３との間の空間に屈折率１以上の物質（例えばアクリルやポリカーボネート等の透明樹脂）を注入して中実の構成していても良い。導光体１０の空間内に屈折率１以上の物質を注入することで、実質的に光路長さを延長させるような効果を得ることができ、照射面上の照度均一性を維持した場合、空気層のみで構成する場合と比較して、薄型化が可能になる。
【００５２】
また、反射部材３を一部の光を透過させる材質で作成することにより、照射面の反対側（すなわち照明装置の背面側）へ照射することが可能な照明装置を構成するようにしてもよい。
【００５３】
以上、本発明の実施例を説明したが、これらは本発明の一実施例であって、これらに限定されるものではない。本発明は、実施例に限定されず、本発明が属する技術分野において通常の知識を有するものであれば本発明の要旨を逸脱しない範囲において種々変更可能であることは言うまでも無い。
【符号の説明】
【００５４】
１…光源
２…半透過部材
３…反射部材
４…支持部材
５…光配調整部材
６…映像表示デバイス
１０…導光体
１２…光源基板
【図１】
2012221553.tif 000003
【図２】
2012221553.tif 000004
【図３】
2012221553.tif 000005
【図４】
2012221553.tif 000006
【図５】
2012221553.tif 000007
【図６】
2012221553.tif 000008
【図７】
2012221553.tif 000009